(57)【要約】【課題】  ユーザが印刷システム等を利用し入力画像データを出力する際、ユーザが撮影した画像データに対して出力に最適な方法を選択できるようにすることを目的とするものである。【解決手段】  利用者により撮影された画像データが入力され、利用者が印刷処理を希望する画像データを印刷する際、入力された画像データの中から利用者により選択された画像データについて、適切な印刷サイズ７２，７３を算出し、この適切な印刷サイズを含む複数の印刷サイズ７２〜７７を操作画面上７１に提示し、複数の印刷サイズ７２〜７７の中から選択された印刷サイズに基づく印刷用画像データを生成し、この印刷用画像データを印刷処理を行う印刷装置に送信することを特徴とする。【選択図】        図５
2005165855.tif 000002
【特許請求の範囲】
【請求項１】
画像データを印刷する印刷システムであって、
前記画像データを入力するための入力手段と、
操作画面を表示する表示手段と、
入力された画像データの印刷用画像データを生成し、該印刷用画像データを印刷処理を行う印刷装置に送信する制御手段とを備え、
前記制御手段は、入力された画像データの中から選択された画像データについて、適切な印刷サイズを含む複数の印刷サイズを前記操作画面上に提示し、選択された印刷サイズに基づき前記画像データの印刷用画像データを生成し、前記印刷装置に送信する
ことを特徴とする印刷システム。
【請求項２】
前記適切な印刷サイズから外れる印刷サイズについて、前記画像データの印刷後の画質が良くない旨の警告を前記操作画面上に表示する
ことを特徴とする請求項１記載の印刷システム。
【請求項３】
前記適切な印刷サイズは、選択された画像データの幅及び高さの大きい方の値（Ｘ）と、予め登録されている印刷可能な用紙サイズの幅とを、式（１−（用紙サイズの幅／Ｘ））に代入してその結果の絶対値をとり、該絶対値と予め設定した値との比較により決定する
ことを特徴とする請求項１又は２記載の印刷システム。
【請求項４】
前記制御手段は、前記適切な印刷サイズの提示に加え、選択された画像データの画像内容に応じて適切な画像補正方法を提示する
ことを特徴とする請求項１、２又は３記載の印刷システム。
【請求項５】
前記入力手段に対し、記録メディア、携帯機器、スキャナー、通信回線経由のいずれかより前記画像データが入力される
ことを特徴とする請求項１、２、３又は４記載の印刷システム。
【請求項６】
画像データを印刷する印刷方法であって、
入力された前記画像データの中から選択された画像データについて、適切な印刷サイズを算出し、
該適切な印刷サイズを含む複数の印刷サイズを操作画面上に提示し、
前記複数の印刷サイズの中から選択された印刷サイズに基づく印刷用画像データを生成し、該印刷用画像データを印刷処理を行う印刷装置に送信する
ことを特徴とする印刷方法。
【請求項７】
前記適切な印刷サイズから外れる印刷サイズについて、前記画像データの印刷後の画質が良くない旨の警告を前記操作画面上に表示する
ことを特徴とする請求項６記載の印刷方法。
【請求項８】
前記適切な印刷サイズは、選択された画像データの幅及び高さの大きい方の値（Ｘ）と、予め登録されている印刷可能な用紙サイズの幅とを、式（１−（用紙サイズの幅／Ｘ））に代入してその結果の絶対値をとり、該絶対値と予め設定した値との比較により適切な印刷サイズを決定する
ことを特徴とする請求項６又は７記載の印刷方法。
【請求項９】
前記適切な印刷サイズの提示に加え、選択された画像データの画像内容に応じて適切な画像補正方法を提示する
ことを特徴とする請求項６、７又は８記載の印刷方法。
【発明の詳細な説明】
【技術分野】
【０００１】
本発明は、利用者により撮影された人物・風景などの画像データが入力され、利用者が印刷処理を希望する画像データを印刷するのに適用して好適な印刷システム及び印刷方法に関する。
【背景技術】
【０００２】
近年、携帯電話機等にもデジタルカメラ機能が搭載されるなどデジタルカメラが普及している。これらのデジタルカメラで撮影されたデジタル画像データは、例えばメモリカード等のリムーバブルな記録メディアに保存することができる。ユーザは、写真店（ＤＰＥ店）や家電量販店等に設置されたいわゆる印刷システムを用いて、記録メディアに保存した画像データをその場で写真用の台紙などに印刷（プリント）して楽しむことができる。
【０００３】
この印刷システムは、デジタル画像技術を駆使してデジタル画像データを様々に加工（画像処理）することができる。一例として、印刷したい画像をテンプレート画像に合成するなど技術が提案されている（例えば、特許文献１参照。）。
【特許文献１】特開平１０−１６４３５９号公報
【発明の開示】
【発明が解決しようとする課題】
【０００４】
通常、上述印刷システムは、対象画像をプリントする際、用紙サイズ、分割レイアウト、画像処理等の選択をユーザに任せている。その結果、画素数の少ない入力画像データに対して、大きな出力サイズが選択された場合には、画質が粗れて低品位なプリントになってしまう。
【０００５】
例えば、図９に示すように、携帯電話機に付属された３０万画素クラスのデジタルカメラで撮影された画素数１２０×１６０ピクセルの画像１００を、３００ｄｐｉのプリンタでＬサイズに出力すると面積比で１００倍の画像１０１に拡大される。
【０００６】
また、図１０に、オリジナルの画像１００を拡大印刷した画像の例を示す。１０２はオリジナル画像１００に対し面積比４倍の画像、１０３は同９倍の画像、１０４は同１６倍の画像、１０５は同２５倍の画像である。一般に面積比が９倍を超える拡大画像になると、画質の劣化が目立つようになると言われている。
【０００７】
このようにデジタル画像データは、オリジナルの画像から大きく拡大して印刷すると、画質の劣化が目立ってしまうという問題が生じていた。中にはこの事情を知らないユーザがプリントシステムを利用して拡大印刷を行った後に画質の劣化が目立つ画像を見た場合、プリントシステムまたはプリントシステムに接続された印刷装置の性能、あるいはデジタルカメラの性能が劣っていると考えてしまうユーザもいる。
【０００８】
また、印刷システムには、プリントされた画像をより美しく見せるための種々の画像補正処理機能が付加されているが、ユーザがこれを知らない場合や使い方がわからない場合、これらの機能を生かすことができなかったという問題があった。
【０００９】
斯かる点に鑑み、本発明は、ユーザが印刷システム等を利用し入力画像データを出力する際、ユーザが撮影した画像データに対して出力に最適な方法を選択できるようにすることを目的とするものである。
【課題を解決するための手段】
【００１０】
上記課題を解決し、本発明の目的を達成するため、本発明は、入力された画像データを印刷する際、入力された画像データの中から選択された画像データについて適切な印刷サイズを算出し、この適切な印刷サイズを含む複数の印刷サイズを操作画面上に提示し、複数の印刷サイズの中から選択された印刷サイズに基づく印刷用画像データを生成し、この印刷用画像データを印刷処理を行う印刷装置に送信することを特徴とする。
【００１１】
斯かる本発明によれば、撮影に用いたデジタルカメラの解像度などの入力画像の画素数が分からないユーザに対し、操作画面を通じて最適な印刷サイズをアドバイスすることができる。したがって、ユーザはアドバイスを参考にして適切な印刷サイズを選択することができる。
【００１２】
また、本発明は、適切な印刷サイズから外れる印刷サイズについて、上述画像データの印刷後の画質が良くない旨の警告を操作画面上に表示することを特徴とする。
【００１３】
斯かる本発明によれば、ユーザは操作画面に表示された警告を見ることにより、印刷した場合の画質が良くない印刷サイズを知ることができるので、ユーザのより適切な印刷サイズの選択に寄与することができる。
【００１４】
また、本発明は、上述の適切な印刷サイズは、選択された画像データの幅及び高さの大きい方の値（Ｘ）と、予め登録されている印刷可能な用紙サイズの幅とを、式（１−（用紙サイズの幅／Ｘ））に代入してその結果の絶対値をとり、この絶対値と予め設定した値との比較により適切な印刷サイズを決定することを特徴とする。
【００１５】
斯かる本発明によれば、上述の簡単な計算式により、ユーザに勧める適切な印刷サイズを決定するためのパラメータを得ることができる。
【００１６】
また、本発明は、適切な印刷サイズの提示に加え、選択された画像データの画像内容に応じて適切な画像補正方法を提示することを特徴とする。
【００１７】
斯かる本発明によれば、適切な印刷サイズに加え、コスメフィルターや赤目修正等の画像補正処理が分からないまたはその機能があることを知らないユーザに対し、操作画面を通じて最適な画像補正方法をアドバイスすることができる。したがって、ユーザはアドバイスを参考にして適切な印刷サイズに加え、適切な画像補正方法を選択することができる。
【発明の効果】
【００１８】
本発明によれば、デジタルカメラの解像度などの入力画像の画素数が分からないユーザに対し、簡単な計算式により算出した最適な印刷サイズを操作画面を通じてアドバイスすることができる。このようにすることにより、ユーザはアドバイスを参考にして適切な印刷サイズを選択することができるので、ユーザに高画質なプリントを提供することができるという効果がある。
【００１９】
また、適切な印刷サイズの提示に加え、選択された画像データの画像内容に応じて適切な画像補正方法を提示するようにすることにより、さらに美しいプリントを提供することができるという効果がある。
【発明を実施するための最良の形態】
【００２０】
以下、図１〜図８を参照して、本発明の一実施の形態の例について説明する。
【００２１】
図１は、本発明の一実施の形態の例のシステム構成を示すものである。１はパーソナルコンピュータ（ＰＣ）等からなる制御装置（制御手段）、６は利用者が入力操作を行うための操作画面や撮影したデジタル画像データ（単に画像データともいう）を表示するタッチパネル付きディスプレイ装置（表示手段）、１０は画像データを制御装置１に取り込むための入力装置（入力手段）、２０は制御装置１から送信されてくる印刷用画像データの印刷を行う印刷装置である。
【００２２】
上述の制御装置１は、例えば、各種制御・演算用のＣＰＵ（Central Processing Unit）２、画像データを保存するとともに所定のアプリケーションが記録されたハードディスク３、ディスプレイ装置６に画像を表示するための所定の処理を行うディスプレイカード４、入力装置１０及び印刷装置２０など周辺機器とのデータの入出力を行うＩ／Ｏ部５より構成されている。この制御装置１のＣＰＵ２は、図示しないＲＯＭ（Read Only Memory）に記録されている制御用プログラムあるいはハードディスク３に記録されたアプリケーションソフトウェアに従い、ワークエリアとしてＲＡＭ（Random Access Memory）（図示略）を使用しながら所定の処理を行う。
【００２３】
本例では、入力装置１０のデータ入力部として、例えば、ＣＤ−ＲＯＭやメモリスティック（登録商標）等のメモリカードなど、一般に流通している各種の記録メディアに対応したデジタルカメラ用メディアドライブ１１と、各通信会社に対応した携帯電話機用接続ケーブル１２ａ及び１２ｂと、ＩｒＤＡ（Infrared Data Association ）規格等に準拠した赤外線通信モジュール１３が用意されている。カメラ付き携帯電話機で撮影した画像データは、この赤外線通信モジュール１３を介してデータ通信を行うことができる。なお、赤外線による無線通信機能が無い携帯電話機の場合、ケーブルをＩ／Ｏ部５に接続し有線によるデータ通信を行うようにしてもよい。また、インターネット等を経由したデータは、イーサネット（登録商標）（Ethernet（登録商標））１４を介してデータ通信を行うことができる。
【００２４】
また、Ｉ／Ｏ部５とデジタルカメラ用メディアドライブ１１とのデータ通信、及びＩ／Ｏ部５と各携帯電話機とのデータ通信はＵＳＢ（Universal Serial Bus）により行っているが、この例に限るものではない。さらに、本例では入力装置１０の各データ入力部は制御装置１の周辺機器として設けられているが、制御装置１と一体に設けるようにしてもよい。
【００２５】
また、制御装置２０の各プリンタは、インクジェット方式あるいは昇華型熱転写方式プリンタ等、種々の方式を採用することができる。またさらに、印刷装置２０は制御装置１よりＳＣＳＩ（Small Computer System Interface）規格に準拠したデータを受信するようにしているが、この例に限られるものではない。
【００２６】
図１の印刷システムにおいて、ユーザがデジタルカメラ等を用い撮影した画像データは、入力装置１０のいずれかより入力し、制御装置１のハードディスク３に格納する。例えば、画像データを記録メディアに保存していれば、記録メディアを図１のデジタルカメラ用メディアドライブ１１に装填することで制御装置１に入力する。また、カメラ付き携帯電話機に保存された画像データであれば、携帯電話機用接続ケーブル１２ａ又は１２ｂに携帯電話機を接続することで制御装置１に入力する。または、赤外線通信モジュール１３を介して制御装置１に画像データを入力する。さらにネットワーク経由で入力するのであれば、イーサネット（登録商標）１４を介して制御装置に画像データを入力する。
【００２７】
次に、ユーザが図１の印刷システムを使用して、撮像した画像データの印刷を行う際の操作の流れを、図２〜図７を参照し説明する。
【００２８】
図２は、図１の印刷システムのディスプレイ装置６に表示されるメニュー画面の一例を示す。まず、画面の「プリントモードを選択して画面をタッチしてください。」の指示により、画面上のプリント方法選択ボタンのいずれかを選択しタッチする。図１には、デジカメ簡単プリントボタン３１、合成加工した画像を印刷する合成プリントボタン３２、一覧表示された画像を印刷するインデックスプリントボタン３３、ネットワークボタン３４、入力画像から証明写真用の印刷を行う証明写真ボタン３５、シールを作成するシールプリントボタン３６、入力画像をＣＤに記録するＣＤ焼付ボタン３７が用意されている。ここでプリント方法選択ボタンのいずれかをタッチすると、図３の画面が表示される。
【００２９】
なお、３８は印刷操作を中止する操作中止ボタン、３９は操作中に前の画面に戻るための前画面ボタン、４０は操作中に分からないことを聞きたいときに使用するＨｅｌｐ（ヘルプ）ボタンである。
【００３０】
図３は、入力メディア選択画面を表すものである。ユーザは、入力装置１０のいずれより画像データを入力するかを、図３の複数の入力メディア選択ボタンの中から選択する。ここでは、ＣＤ−ＲＯＭ４１、フロッピー（登録商標）ディスク４２、メモリスティック（登録商標）４３、コンパクトフラッシュ（登録商標）４４、ＳＤカード／ＭＭＣ（ともに登録商標）４５、スマートメディア（登録商標）４６の各記録メディア用ボタンが用意されている。さらに、携帯からボタン４７、ネットワークボタン４８、制御装置１のハードディスク３上に保存されている画像データを読み出して印刷するフォトライブラリーボタン４９などが用意されている。この図３の入力メデイア選択ボタンのいずれかをタッチすると、図４に示すような画面が表示される。
【００３１】
図４は、ユーザにコスメフィルターの使用を提示するコスメフィルター選択画面を示すものである。このコスメフィルターの一例としては、例えば本願出願人により先に出願された特願２００３−０２５２３７号に記載されたような画像処理技術を用いて肌色領域を抽出し、画像全体に占める肌色部分の割合が所定値以上であるときに、肌色を美しく見せるようにする画像補正処理が考えられる。
【００３２】
図中、５１は入力された画像データのサムネイル画像を表示するサムネイル表示領域、５２はサムネイル画像、５３は選択したサムネイルの拡大画像、５４はコスメフィルター選択ウィンドウ、５５はコスメボタン、５６はキャンセルボタン、５７はコスメフィルター選択ボタンである。ユーザはサムネイル表示領域５１に表示されたサムネイル画像の中から、サムネイル画像５２など所望の画像を選択することができる。
【００３３】
制御装置１は任意のサムネイル画像が選択されると、選択されたサムネイル画像から肌色領域を抽出する。そして、肌色領域が画像全体の例えば２０％以上を占めると判断した場合、ユーザに対し美肌処理であるコスメフィルターをアドバイスする。このとき、画面上に例えば「コスメフィルターで美しく透明感のある美肌に！」などのメッセージが書かれたコスメフィルター選択ウィンドウがポップアップ表示されるので、ユーザは、コスメフィルターを使用するときはコスメボタン５５、使用しないときはキャンセルボタン５６を選択しタッチする。
【００３４】
このように、コスメフィルターが分からない、又はその機能があることを知らないユーザに対し、制御装置１がコスメフィルターを使用した方がよいと判断した場合、操作画面を通じてコスメフィルターの使用をアドバイスする。そして、ユーザがアドバイスを参考にしてコスメフィルターを使用することにより、ユーザは美しいプリントを獲得することができる。
【００３５】
また、ユーザが、美肌効果の少ない画像（肌色領域が２０％未満）に対して、コスメフィルター選択ボタン５７をタッチし美肌効果のあるフィルターを選択しようとした場合、効果が少ない旨の警告を表示することもできる。
【００３６】
なお、サムネイルをいくつかまとめて選択しコスメフィルターを適用させたいときには、セレクトボタン（＋）６１及びセレクトボタン（−）６２を使用する。また、移動ボタン（左）６３及び移動ボタン（右）６２を使用して別のサムネイルに移動・選択できる。
【００３７】
さらに、この図４では、画像の回転処理を行う回転ボタン５８、日付け等の文字入力を行うためのテンキー表示ボタン５９、画像データの詳細設定を編集するための詳細設定ボタン６０が用意されており、選択したサムネイル毎に各種の設定を行うことができる。
【００３８】
各種の設定が終了すると、選択された画像の画素数を調べて、接続されている印刷装置２０（図１）の中で一番近い用紙サイズ、分割レイアウトをアドバイスする。このとき、図５に示すように、「プリントサイズを選択してください。最もお勧めが、画像に適したサイズです。」などと表示されたプリントサイズ選択ウィンドウ７１を表示する。
【００３９】
図５のプリントサイズ選択ウィンドウ７１の表示は、例えばユーザに最もお勧めの印刷サイズの選択ボタン７２（Ｌ４分割）、その次にお勧めする印刷ボタン７３（Ｌ）、さらに、お勧めできない印刷サイズの選択ボタン７４，７５，７６，７７（ＫＧ、ＬＬ、Ａ５、Ａ４）を併せて表示するようにする。
【００４０】
このように、撮影に用いたデジタルカメラの解像度などの入力画像の画素数が分からないユーザに対し、制御装置１が操作画面を通じて最適な印刷サイズをアドバイスするようにする。したがって、ユーザがアドバイスを参考にして適切な印刷サイズを選択することができるようになるので、ユーザは高画質なプリントを獲得することができる。
【００４１】
また、ユーザに対し、選択した画像データを印刷した場合の画質が良くない印刷サイズを最適印刷サイズの提示と同時に警告することにより、ユーザは適切な印刷サイズの選択をより的確に行うことができるようになる。
【００４２】
こうして選択したサムネイルの各種設定とともにプリントサイズの設定が終了したら、図４に戻りプリント内容・金額表示部６５の表示よりプリントサイズ、枚数等を確認後、ＯＫボタン６６をタッチし、図６の画面を表示させる。
【００４３】
図６は、入金金額及びプリント処理の進行を確認する入金・プリント処理画面を示す。ユーザは料金確認画面を見ながら投入金額を確認し、必要な金額を所定の入金口から入金したらＯＫボタン６６をタッチする。制御装置１は、複数の印刷サイズの中から選択された印刷サイズに基づく印刷用画像データを生成し、この印刷用画像データを印刷装置２０に送信する。そして、ユーザが選択した画像データについてコスメフィルターの使用の有無に応じた画像補正処理がなされて所望の印刷サイズ、設定枚数分が印刷される。
【００４４】
このとき、印刷処理進行状況を図６の画面上に表示するようにすると、ユーザに対し親切である。また、ユーザが画像データのプリントを追加オーダーする場合は、追加オーダー８１を押すと、追加の印刷処理を行わせることができる。印刷終了後は、図４のサムネイル画像の表示画面に戻る。
【００４５】
図７は、制御装置１が図４及び図５の画面でコスメフィルター及び印刷サイズを提示する際に行われる処理を示したフローチャートである。
【００４６】
まず、図３に示されるような操作画面の案内に従って画像データを入力後、図４のサムネイル画像で肌色領域が画像全体の２０％以上か否かを調べる（ステップＳ１）。ここで、肌色領域が２０％以上あるときは、図４のコスメフィルター推奨の表示を出す（ステップＳ２）。一方、肌色領域が２０％未満のときは、ステップＳ３へ移行する。
【００４７】
次に、ユーザがコスメフィルターについて操作している間に、制御装置１は選択されたサムネイル画像のデータに、例えばＤＳＣ（Digital Still Camera）、Ｅｘｉｆ（Exchangeable Image File Format）及びＪＰＥＧ（Joint Photographic Experts Group）等のヘッダーが存在するか否かを調べる（ステップＳ３）。ヘッダーが検出された場合は、ヘッダー情報から画像の幅、高さの情報を読み取り（ステップＳ４）、ヘッダーが検出されなかった場合は、は画像データを読み込み、直接幅及び高さ情報を得る（ステップＳ５）。
【００４８】
そして、後述の図８に示す用紙サイズデータを参照して、画像データの長辺、幅、高さの大きい方に幅が一番近い用紙サイズを算出し最適印刷サイズとする（ステップＳ６）。具体的には、選択された画像データの幅及び高さの大きい方の値（Ｘ）と、予め登録されている印刷可能な用紙サイズの幅とを、次式１
１−（用紙サイズの幅／Ｘ）・・・・・式１
に代入してその結果の絶対値をとる。そして、この絶対値と予め設定した値とを比較して、昇順で並び替える。並び替えの結果、高画質印刷に適するより上位の用紙サイズ、レイアウト分割から順にユーザに提示する（図５）（ステップＳ７）。
【００４９】
ここで、例えば式１の絶対値が、一番上位の値で３より大きい（面積比で９倍を超える）の場合は、プリント画質が悪くなる警告（お勧めできない旨の表示）を出すようにする（図５、ボタン７４〜７７）。
【００５０】
図８は、用紙サイズデータの一例を示すものである。この用紙サイズデータは印刷装置２０の印刷仕様であり、予め印刷装置２０から読み込んでハードディスク３等の不揮発性メモリに記録しておく。
【００５１】
このように、本例ではユーザにお勧めする適切な印刷サイズを決定するためのパラメータとして、式１の簡単な計算式により算出した値を使用している。
【００５２】
なお、コスメフィルターによる画像データの補正処理の例として、画像全体に占める肌色領域の大小による肌色部分の美肌処理の推奨について述べたが、その他、例えば人物の顔の形を検出し、頬部ほっそり補正処理や小じわシミ補正処理、赤目修正処理などを推奨するようにしてもよい。あるいは、例えば画像が風景の場合には緑を強調するようにした補正処理を推奨するなど、コスメフィルター以外にもユーザに美しいプリントを提供するための種々の補正処理のアドバイスが考えられる。
【００５３】
また、入力装置１０の例として、図１に述べるものの他に、スキャナーを使用して取り込んだ画像データを制御装置１に入力するようにしてもよい。
【００５４】
また、本発明は、上述した実施の形態の例の機能を実現するソフトウェアのプログラムコードを記録した記録メディアを、システムあるいは装置に供給し、そのシステムあるいは装置のコンピュータ（またはＣＰＵ等の制御演算手段）が記録メディアに格納されたプログラムコードを読み出し実行することによっても、達成されることは言うまでもない。この場合のプログラムコードを供給するための記録メディアとしては、例えば、リムーバブルな磁気記録ディスク、ハードディスク、光ディスク、光磁気ディスク、ＣＤ−ＲＯＭ、ＣＤ−Ｒ、ＤＶＤ、磁気テープ、不揮発性のメモリカードなど、種々のものを用いることができる。
【００５５】
またさらに、本発明は上述した実施の形態の例に限られるものではなく、本発明の要旨を逸脱することなくその他種々の構成を取り得ることは勿論である。
【図面の簡単な説明】
【００５６】
【図１】本発明の一実施の形態の例を示すシステム構成図である。
【図２】プリント方法選択画面の一例である。
【図３】入力メディア選択画面の一例である。
【図４】コスメフィルター選択画面の一例である。
【図５】プリントサイズ選択画面の一例である。
【図６】入金・プリント処理画面の一例である。
【図７】アドバイス内容処理フローチャートである。
【図８】用紙サイズデータの一例である。
【図９】従来例の説明に供する図である。
【図１０】従来例の説明に供する図である。
【符号の説明】
【００５７】
１…制御装置（制御手段）、２…ＣＰＵ、３…ハードディスク、４…ディスプレイカード、５…Ｉ／Ｏ部、６…ディスプレイ装置（表示手段）、１０…入力装置（入力手段）、１１…デジタルカメラ用メディアドライブ、１２ａ，１２ｂ…携帯電話機接続ケーブル、１３…赤外線モジュール、２０…印刷装置、５１…サムネイル表示領域、５２…サムネイル画像、５３…サムネイル拡大画像、５４…コスメフィルター選択ウィンドウ、５７…コスメフィルター選択ボタン、７１…プリントサイズ選択ウィンドウ、７２，７３，７４，７５，７６，７７…プリントサイズ選択ボタン
【図１】
2005165855.tif 000003
【図２】
2005165855.tif 000004
【図３】
2005165855.tif 000005
【図４】
2005165855.tif 000006
【図５】
2005165855.tif 000007
【図６】
2005165855.tif 000008
【図７】
2005165855.tif 000009
【図８】
2005165855.tif 000010
【図９】
2005165855.tif 000011
【図１０】
2005165855.tif 000012